(57)【特許請求の範囲】
【請求項１】
シーツを受ける底面と底面の周縁に立設された周壁とを備えるトレイ部と、このトレイ部に敷設されたシーツの辺縁部を押さえてトレイ部に固定する枠部材と、シーツの表面を保護するカバー板材とを備え、
枠部材は前記トレイ部の周壁に重なり合う断面形状を有し、トレイ部と枠部材の外側に、回動軸部または軸受け部がそれぞれ互いに対応する位置に設けられ、軸受け部が弾性を有する合成樹脂系材料により形成されて回動軸部に嵌着自在とされて、枠部材がトレイ部に対して着脱可能かつ回動可能とされており、
前記カバー板材は、弾性を有する合成樹脂系材料により枠部材の内側に対応する大きさの板状に形成され、略全面に多数の丸孔を有するとともに周縁部に半円状の着脱用の切欠を備える一方、
前記枠部材は、当該枠部材の内側に開放した略コ字状の係合部を内側複数箇所に備えて、前記カバー板材の周縁部をこれらの係合部に嵌め込んで保持可能であり、
枠部材がトレイ部に重なり合った状態のままカバー板材が枠部材に対して着脱自在であるとともに、カバー板材を枠部材に装着したまま枠部材がトレイ部に対して開閉可能であることを特徴とするペット用トイレ。
【発明の詳細な説明】
【技術分野】
【０００１】
本発明は、犬や猫などのペットが室内で使用するペット用トイレに関する。
【背景技術】
【０００２】
室内で飼われている犬や猫などのペットのためのトイレとして、ペットが入る大きさのトレイに、トレイ内の汚れを防止するシーツを敷いて使用するタイプのものがあり、汚れたシーツを適宜取り替えられるようになっている。
【０００３】
この種のトイレは、例えば、特許文献１、２等に記載されているように、長方形状のトレイの底部に敷かれたシーツの縁が、トレイに内嵌された押さえ枠で押さえられて固定される構成である。この押さえ枠は、トレイの側縁部に回動可能に取り付けられて、上方へ開閉できるようになっている。押さえ枠を枢着するヒンジ凹部はトレイの周壁に形成され、このヒンジ凹部に係合するヒンジ凸部が押さえ枠に設けられている。また押さえ枠には、トレイに装着された状態のときシーツを押圧する押圧部が全周にわたって突設されている。使用に際しては、トレイ内にシーツを敷き、ヒンジ凸部を軸として押さえ枠を回転させ、押圧部でシーツを押圧し、シーツの位置ずれを防止するように意図されている。
【特許文献１】実公平５−６７７４号公報
【特許文献２】実用新案登録第３０７９１３８号公報
【発明の開示】
【発明が解決しようとする課題】
【０００４】
上記のようなペット用トイレは、シーツがトレイの上面に露出した構造であるので、ペットがトイレを使用するときにトレイ内を動きまわってシーツがよれることがあり、またシーツを噛んだり破ったりしてしまうことがある。また、トレイ内に敷くシーツが部分的に汚れたことによって取り替える必要が生じた場合、シーツ全体を取り替えるよりも部分的に取り替えることができた方が経済的であり利便性も高い。さらにトイレを清掃する際、トレイと押さえ枠とを適宜開閉しながら洗うしかなく、押さえ枠を開いた状態では場所をとって作業しづらく、細かい部分まで洗いきれないという難点もあった。
【０００５】
そこで本発明は、上記のような従来の問題点にかんがみてなされたものであり、トレイ内に敷くシーツを、ペットの動作によっても位置ずれすることがないように固定するとともに、ペットが破ったり噛んだりしないように保護して、さらに汚れたシーツの交換や洗浄作業も容易に行うことのできる利便性の高いペット用トイレを提供しようとするものである。
【課題を解決するための手段】
【０００６】
上記した目的を達成するため、本発明に係るペット用トイレは、シーツを受ける底面と底面の周縁に立設された周壁とを備えるトレイ部と、このトレイ部に敷設されたシーツの辺縁部を押さえてトレイ部に固定する枠部材と、シーツの表面を保護するカバー板材とを備え、枠部材は前記トレイ部の周壁に重なり合う断面形状を有し、トレイ部と枠部材の外側に、回動軸部または軸受け部がそれぞれ互いに対応する位置に設けられ、軸受け部が弾性を有する合成樹脂系材料により形成されて回動軸部に嵌着自在とされて、枠部材がトレイ部に対して着脱可能かつ回動可能とされており、前記カバー板材は、弾性を有する合成樹脂系材料により枠部材の内側に対応する大きさの板状に形成され、略全面に多数の丸孔を有するとともに周縁部に半円状の着脱用の切欠を備える一方、前記枠部材は、当該枠部材の内側に開放した略コ字状の係合部を内側複数箇所に備えて、前記カバー板材の周縁部をこれらの係合部に嵌め込んで保持可能であり、枠部材がトレイ部に重なり合った状態のままカバー板材が枠部材に対して着脱自在であるとともに、カバー板材を枠部材に装着したまま枠部材がトレイ部に対して開閉可能であることを特徴としている。
【０００７】
この構成によれば、枠部材がトレイ部に対して着脱可能であるので、日常的には枠部材をトレイ部に対して回動させて開閉して使用することができ、また清掃時など必要なときにはトレイ部から枠部材を取り外してそれぞれを洗ったり拭いたりすることができ、利便性が高められる。また、カバー板材がシーツの表面側に配設されることになるので、ペットはシーツに直接触れにくくなり、シーツを破ったり噛んだりするのを防ぐことができる。また、かかるカバー板材には多数の丸孔が形成されているので、ペットの尿をシーツに浸透させるなどのシーツの吸水機能を損なうことはなく、洗浄作業も容易に行うことができる。さらに、枠部材をトレイ部から取り外さなくてもカバー板材だけをトレイ部から取り外すことが可能になり、シーツの取り替えや清掃を行う際に好ましい。
【発明の効果】
【０００８】
上述のように構成される本発明のペット用トイレによれば、トレイ内に敷くシーツを、ペットのさまざまな動きによっても位置ずれすることがないようにしっかりと固定でき、ペットがシーツを破ったり噛んだりするのを防いでシーツの機能性を損なうことがなく、また、汚れたシーツの交換やトイレ各部材の洗浄作業も非常に行いやすく、利便性の高いものとすることができる。
【発明を実施するための最良の形態】
【０００９】
以下、本発明に係るペット用トイレを実施するための最良の形態について、図面を参照しつつ説明する。
【００１０】
図１〜図３は本発明に係るペット用トイレの一例を示し、図１はペット用トイレの分解斜視図、図２はペット用トイレの枠部材を上方へ開いた状態を示す斜視図、図３は図２における枠部材の後側（背面側）を示す斜視図である。
【００１１】
なお、以下の説明では例示したペット用トイレにおける方向性を、便宜上、図２に示すように左右方向および前後方向を規定して説明するものとする。
【００１２】
例示のペット用トイレ１は合成樹脂製であり、平面視略長方形状のトレイ部２と、このトレイ部２の周縁に外嵌される枠部材３を備えている。トレイ部２は、汚れを防止するシーツ４をその底面２１で受け、底面２１の外周部に山型形状の周壁２２が立設されている。また、このトレイ部２の底面２１には、周壁２２との間に凹部２３が周壁２２に沿うように設けられている。この凹部２３の幅方向中央部には、周壁２２と平行にリブ２４が立設されている。四周の周壁２２のうち、前側および後側に立設された周壁２２の左右方向の中央部には、山型形状の頂部にそれぞれ係止凹部２２１が設けられている。また、図面には現れないが、後側に立設された周壁２２の外周面には、軸受け部が均等間隔で設けられている。
【００１３】
このようなトレイ部２の底面２１には、トレイ部２の内側を幅方向（左右方向）に二分割する略中央部に、係着溝２５が設けられている。係着溝２５には、溝幅よりも微少寸法小さい幅で形成された押さえ部材２６が嵌め込まれる。この押さえ部材２６は、合成樹脂製の帯状部材であり、両端が屈曲されて立ち上げ形成されて爪２６１を備えている。これにより、押さえ部材２６は周壁２２の内側面から凹部２３の底面、および係着溝２５に沿って、嵌め込み可能な形状となっている。また、この押さえ部材２６は係着溝２５の溝幅よりもやや小さく形成されており、両端部の爪２６１が周壁２２の係止凹部２２１に係止されることで、トレイ部２に固定されるようになっている。
【００１４】
かかるトレイ部２に対して、枠部材３はトレイ部２の底面２１に敷設されるシーツ４の辺縁部を押さえてトレイ部２に固定するのに用いられる。例示の形態では、枠部材３は、トレイ部２の周壁２２に重なり合う山型の断面形状を有して形成されるとともに、周壁２２の外側に設けられた軸受け部に対応する位置に、それぞれ回動軸部３１が設けられている。例示の形態では、枠部材３は後側外側面の左右方向に３つの回動軸部３１を備えて、周壁２２の３箇所に形成された軸受け部の配置に対応している。この場合、トレイ部２の軸受け部は、この回動軸部３１の軸まわりに嵌合しうる断面略C字状に突設されていることが好ましい。そして、この回動軸部３１を軸受け部に嵌め合わせることによって、枠部材３がトレイ部２に対して回動可能に取り付けられる。
【００１５】
また、少なくともトレイ部２の軸受け部が、弾性を有する合成樹脂系材料により形成されていることが好ましく、材料の弾性によって枠部材３の回動軸部３１が嵌着自在となされている。これにより、枠部材３はトレイ部２に対して、適宜、着脱可能な構成となっている。なお、本発明におけるかかる構成は、トレイ部２の外側に回動軸部が設けられて、枠部材３に軸受け部が設けられるようであってもよい。
【００１６】
さらに、枠部材３の内周には、トレイ部２の凹部２３およびリブ２４に形成された溝に対向するように押圧部３２が全周にわたって垂設されている。これにより、トレイ部２の底面２１にシーツ４が敷き込まれた後、枠部材３をトレイ部２の周壁２２に重ねるように閉じると、枠部材３の押圧部３２がトレイ部２の凹部２３およびリブ２４の間に納まり、シーツ４の辺縁部を挟み込んで押さえ、ずれを防止する。
【００１７】
また、例示のトイレ１において枠部材３の内側には、シーツ４の表面を保護するカバー板材５を設置することができる。図示するように、このカバー板材５は、略長方形状の板状部材であり、略全面に多数の丸孔５１が形成されている。丸孔５１は、図示するような円形状のもののほか、例えば楕円形状などどのような形状で形成されてもいてもよい。また、カバー板材５の周縁部には半円状の切欠５２が２箇所に対向して設けられている。
【００１８】
このカバー板材５は、枠部材３の押圧部３２の上部において内周に沿って複数箇所に設けられた略コ字状の係合部３３に対して、その周縁部を係合させて保持される。また、これらのカバー板材５および係合部３３は、ともに適度な弾性を有する合成樹脂系材料により形成されているので、カバー板材５が枠部材３に対して着脱自在となされている。
【００１９】
したがって、ペット用トイレ１の使用時、必要に応じて枠部材３にカバー板材５を嵌め込むことで、シーツ４の表面をカバー板材で保護することができるようになる。このとき、カバー板材５とシーツ４との間には、適当な間隔が保持されたままセットされる。したがって、シーツ４の吸水性を損なうことなく、カバー板材５で覆って、保護することが可能とされている。また、シーツ４の取り替え時には、カバー板材５の切欠５２に指を差し込んで容易に取り外すことができる。
【００２０】
なお、かかるカバー板材５は、図１に例示するように、枠部材３の内側を略二分割する大きさで形成されて、二枚のカバー板材５が枠部材３に嵌め込まれてもよいし、枠部材３の内側とほぼ同寸のカバー板材５が一枚嵌め込まれる構成であってもよい。いずれの場合にも、カバー板材５がシーツ４の機能を損なうことなくシーツ４の表面を保護し、ペットがシーツ４を破ったり噛んだりするのを防ぐことができる。
【００２１】
このような構成のペット用トイレ１においては、その大きさに応じて、トレイ部２に、トレイ部２の内側を分割する大きさのシーツ４を複数枚敷設して使用することもできる。
例えば、トレイ部２の内側を略二分割する大きさとされたシーツ４を、左右方向に二枚敷設して使用する場合、底面２１に敷いた二枚のシーツ４の隣接する辺縁部の上から押さえ部材２６を係着溝２５に嵌め込み、両シーツ４の辺縁部をともに挟み込んで固定するようにして使用する。また、トレイ部２の周縁においてはシーツ４が枠部材３によって挟み込まれて固定される。これにより、ペットの動作によってセットされたシーツ４が位置ずれするのを防止することができる。
【００２２】
また、このように、ペット用トイレ１に二枚のシーツ４を敷設して用いるときには、枠部材３の内側を略二分割する大きさのカバー板材５を、それぞれ枠部材３に左右方向に並べて嵌め込んで使用することが好ましい。これにより、シーツ４を交換する際、シーツ４が汚れている側のカバー板材５だけを取り外し、汚れている方のシーツ４だけを取り替えることができ、利便性をより一層高めることができる。
【００２３】
なお、ペット用トイレ１の大きさによっては、トレイ部２の底面２１全体を被覆しうる大きさのシーツ４を使用する場合もあり、この場合には、シーツ４の辺縁部が枠部材３によって固定される。このとき、トレイ部２の押さえ部材２６は、シーツ４を敷設する前に係着溝２５にあらかじめ嵌め込まれていることが好ましい。これにより、押さえ部材２６はシーツ４の下側（裏側）に配置され、トレイ部２の底面２１をフラットな状態として使用することができる。
【産業上の利用可能性】
【００２４】
本発明は、室内で飼われている犬や猫などのペットのためのトイレとして好適に利用することができる。
【図面の簡単な説明】
【００２５】
【図１】本発明に係るペット用トイレの分解斜視図である。
【図２】本発明に係るペット用トイレの枠部材を上方へ開いた状態を示す斜視図である。
【図３】本発明に係るペット用トイレにおける枠部材の背面側斜視図である。
【符号の説明】
【００２６】
１    ペット用トイレ
２    トレイ部
２１  底面
２２  周壁
２３  凹部
２４  リブ
２６  押さえ部材
２７  回動軸部
３    枠部材
３２  押圧部
３３  係合部
４    シーツ
５    カバー板材
【図１】
0004467602.tif 000002
【図２】
0004467602.tif 000003
【図３】
0004467602.tif 000004